(57)【特許請求の範囲】
【請求項１】
発射装置により遊技盤に発射された遊技球を収集すると共に、収集した遊技球を前記発射装置により再度発射することで、内部に封入された所定数の遊技球を循環的に使用して遊技を行い、該遊技の進行に応じて遊技者の持球の数を更新する封入式の弾球遊技機であって、
遊技者により貸出指示がなされると、遊技球の貸出に用いられる記憶媒体が挿入されているカードユニットから情報を取得し、該情報に対応する所定単位の数分、前記持球を増加させる貸出手段と、
遊技者に対し、当該弾球遊技機が、前記遊技を行うことができない中断状態に移行した後、予め定められた制限時間が経過すると、該中断状態に移行する時点で存在する前記持球を低減する旨を通知する通知手段と、
前記持球の数が所定数以上の場合、前記通知手段による通知がなされた後に、遊技者からの中断指示に応じて、前記持球を残したまま当該弾球遊技機を前記中断状態に移行させると共に、前記カードユニットに対し、挿入されている前記記憶媒体を排出させる中断手段と、
前記中断状態中に、前記中断状態である旨と、該中断状態への移行時に排出された前記記憶媒体を前記カードユニットに挿入することで、該中断状態が解除される旨とを表示すると共に、前記制限時間が経過するまでの残り時間を特定可能な情報を表示する表示手段と、
前記中断状態に移行する際に排出された前記記憶媒体が前記カードユニットに挿入されたことを検出すると、該中断状態を解除する中断状態解除手段と、
前記中断状態への移行後、前記制限時間が経過すると、該中断状態に移行した時点の前記持球の数を少なくとも前記所定数以上低減させる中断状態回収手段と、
を備え、
前記中断手段は、前記持球が存在していても、当該持球の数が前記所定数に達していない場合には、遊技者からの中断指示が行われても前記中断状態に移行させないようにした
ことを特徴とする封入式の弾球遊技機。
【請求項２】
請求項１に記載の封入式の弾球遊技機において、
前記カードユニットに前記記憶媒体が挿入されている場合に、遊技者からの返却指示に応じて、当該弾球遊技機を、現時点で存在する前記持球を用いた前記遊技が可能な返却状態に移行させると共に、前記カードユニットに対し、挿入されている前記記憶媒体を排出させる返却手段と、
前記持球が存在する場合に、遊技者からの終了指示に応じて、前記カードユニットに対し、挿入されている前記記憶媒体に現在の前記持球の数を記憶させ、その後、該記憶媒体を排出させる終了手段と、
をさらに備えることを特徴とする封入式の弾球遊技機。
【請求項３】
請求項２に記載の封入式の弾球遊技機において、
前記返却状態中、前記持球の数が一定値に維持されている維持時間をカウントするカウント手段と、
前記維持時間が予め定められた時間に達すると、前記持球の数を低減させる返却状態回収手段と、
をさらに備えることを特徴とする封入式の弾球遊技機。
【請求項４】
請求項３に記載の封入式の弾球遊技機において、
いずれかの前記記憶媒体が前記カードユニットに挿入され、前記貸出操作がなされると、前記返却状態を解除する返却状態解除手段をさらに備えること、
を特徴とする封入式の弾球遊技機。
【請求項５】
請求項１から請求項４のうちのいずれか１項に記載の封入式の弾球遊技機において、
前記制限時間は、前記中断状態に移行する時点の前記持球の数に応じた長さに設定され、該持球の数が多いほど、前記制限時間が長く設定されること、
を特徴とする封入式の弾球遊技機。
【発明の詳細な説明】
【技術分野】
【０００１】
本発明は、封入式の弾球遊技機に関する。
【背景技術】
【０００２】
従来、パチンコ店では、一般的に、遊技者がトイレ等により遊技台を一時的に離席する場合には、遊技台を確保しておくため弾球遊技機の上皿に遊技球やタバコ等の所持品を入れる等の行為が行われる。そして、パチンコ店の店員は、長時間にわたり空席の遊技台が確保されたままになっている場合には、店内放送で遊技台の番号を告げて遊技者に遊技台に戻ることを促し、それでも遊技者が戻らないという場合には、遊技球やタバコ等を回収し、遊技台を他の遊技者に開放する。
【０００３】
一方、遊技台の付近に遊技球が蓄えられたドル箱が置かれている場合等には、遊技者が離席すると、ドル箱ごと遊技球が盗まれるおそれがある。このため、食事等により長時間にわたり離席する場合には、遊技者は店員に休憩したい旨を伝えると共に、店員は遊技者に、休憩可能時間と、休憩可能時間を経過しても遊技台に戻らない場合には遊技球を回収する旨を伝える。そして、店員は、ドル箱にネットを張る等して遊技球の盗難対策を施すと共に、遊技台に休憩中であることを示す札を立てたり、遊技台の上部に配された表示装置に休憩開始後の経過時間を表示させ、遊技台が確保された状態にする。
【０００４】
その後、店員は確保されている遊技台を監視すると共に、休憩可能時間を経過しても遊技者が戻らない場合には、店内放送で遊技台の番号を告げて遊技者に遊技台に戻ることを促し、それでも遊技者が戻らないという場合には、ドル箱の回収等を行い、遊技台を開放する。
【０００５】
一方、内部に封入された一定数の遊技球を循環的に使用して遊技を行う封入式の弾球遊技機が知られており、このような封入式の弾球遊技機によれば、不正行為が困難になると共に、遊技に用いられた遊技球の数や、遊技者が獲得した遊技球の数の管理が容易になる。このため、今後、封入式の弾球遊技機が導入されていくことが予想される。
【０００６】
ここで、封入式の弾球遊技機では、上皿や下皿は設けられておらず、遊技者の持球の数が表示装置に表示される構成となるため、封入式の弾球遊技機が設置された遊技台に遊技者がいなくても、この表示装置の表示内容により遊技台が確保されているか否かを判別できる。しかしながら、従来のように、確保中の弾球遊技機の上皿に遊技球等を入れておく場合に比べ、見落としが生じる可能性が高くなると考えられ、さらに、封入式の弾球遊技機に不慣れな遊技者は、表示装置の表示内容を見ただけでは、確保中であることを理解できないというおそれもある。
【０００７】
よって、封入式の弾球遊技機が用いられる場合において、空席の遊技台が他の遊技者により確保されていることを報知する構成を考える必要がある。
これに対し、特許文献１では、封入式の弾球遊技機において、遊技者が操作可能な中断ボタンを設け、中断ボタンが押されると、持球を得るためにカード処理装置に挿入されていた磁気カードを排出すると共に、遊技が中断中である旨を表示して遊技を禁止し、排出された磁気カードが再度挿入されると遊技を再開させることが提案されている。
【０００８】
また、特許文献２では、封入式でない弾球遊技機において、遊技者からの指示に応じて、球貸用カードを排出すると共に遊技を禁止し、該弾球遊技機が占有されている旨を表示することが提案されている。
【先行技術文献】
【特許文献】
【０００９】
【特許文献１】特許第２６８３９０９号公報
【特許文献２】特開平６−２７７３５１号公報
【発明の概要】
【発明が解決しようとする課題】
【００１０】
特許文献１，２に記載の構成によれば、休憩中の遊技者により確保されている遊技台を容易に判別できると共に、仮に他の遊技者が該遊技台に座ってしまった場合であっても、弾球遊技機で遊技を行うことができないため、誤って他人の持球で遊技を行ってしまうことが無くなる。
【００１１】
しかしながら、これらの弾球遊技機では、無制限に遊技を中断しておくことが可能であるため、弾球遊技機の稼働率が低下してしまうおそれがある。このため、従来と同様、パチンコ店の店員が休憩時間をカウントし、休憩時間が一定時間を越えた場合には、該弾球遊技機の中断を強制的に解除し、遊技台を開放するという作業を行う必要があった。
【００１２】
したがって、店員の作業負担が大きく、さらに、店員毎に、休憩開始から遊技台の開放までの時間のばらつきが生じるという可能性もあり、公平性を欠いてしまうという問題があった。
【００１３】
本願発明は上記課題に鑑みてなされたものであり、稼働率の低下の防止と、パチンコ店の店員の作業負担の軽減と、公平性の担保を実現しつつ、遊技者が安心して遊技台を離席し、休憩をとることができる封入式の弾球遊技機を提供することを目的とする。
【課題を解決するための手段】
【００１４】
上記課題に鑑みてなされた請求項１に係る発明は、発射装置により遊技盤に発射された遊技球を収集すると共に、収集した遊技球を発射装置により再度発射することで、内部に封入された所定数の遊技球を循環的に使用して遊技を行い、該遊技の進行に応じて遊技者の持球の数を更新する封入式の弾球遊技機に関するものである。
【００１５】
この封入式の弾球遊技機は、遊技者により貸出指示がなされると、遊技球の貸出に用いられる記憶媒体が挿入されているカードユニットから情報を取得し、該情報に対応する所定単位の数分、持球を増加させる貸出手段と、遊技者に対し、当該弾球遊技機が、遊技を行うことができない中断状態に移行した後、予め定められた制限時間が経過すると、該中断状態に移行する時点で存在する持球を低減する旨を通知する通知手段と、持球の数が所定数以上の場合、通知手段による通知がなされた後に、遊技者からの中断指示に応じて、持球を残したまま当該弾球遊技機を中断状態に移行させると共に、カードユニットに対し、挿入されている記憶媒体を排出させる中断手段と、中断状態中に、中断状態である旨と、該中断状態への移行時に排出された記憶媒体をカードユニットに挿入することで、該中断状態が解除される旨とを表示すると共に、制限時間が経過するまでの残り時間を特定可能な情報を表示する表示手段と、中断状態に移行する際に排出された記憶媒体がカードユニットに挿入されたことを検出すると、該中断状態を解除する中断状態解除手段と、中断状態への移行後、制限時間が経過すると、該中断状態に移行した時点の持球の数を少なくとも所定数以上低減させる中断状態回収手段と、を備える。そして、中断手段は、持球が存在していても、当該持球の数が所定数に達していない場合には、遊技者からの中断指示が行われても中断状態に移行させない。
【００１６】
このような構成によれば、中断指示を行うのみで、持球を残したまま弾球遊技機を遊技が不可能な中断状態とすることができる。これにより、他の遊技者により持球が使用されてしまうことを防ぎつつ、弾球遊技機が設置された遊技台を確保しておくことができるため、遊技者は、安心して遊技台の傍から離れ、休憩を取ることができる。
【００１７】
また、中断状態中は弾球遊技機にその旨が表示された状態となるため、パチンコ店の店員が遊技台に札を立てる等の作業を行わなくても、他の遊技者に対し、中断状態となっている弾球遊技機が設置された遊技台が、休憩中の遊技者により確保されていることを示すことができる。
【００１８】
また、弾球遊技機が中断状態に移行した後、弾球遊技機にて経過時間がカウントされ、制限時間が経過すると遊技者の持球が回収されるため、持球を担保として遊技者に休憩時間を与えることができる。
【００１９】
このため、遊技者に対し、制限時間内に遊技を再開することを促すことができ、弾球遊技機が、遊技が行われない状態で長時間にわたり確保され、稼働率が低下してしまうことを防ぐことができる。
【００２０】
また、従来のように、店員が遊技者の休憩時間を計測し、休憩時間が一定時間を超過した場合に持球を回収する場合に比べ、持球が回収されるまでの時間を正確に計測することができ、各遊技者に公平に休憩時間を与えることができる。さらに、店員が休息時間の計測や持球の回収を行う必要が無くなり、店員の作業負担を軽減させることができる。
【００２１】
したがって、請求項１に記載の封入式の弾球遊技機によれば、稼働率の低下の防止と、パチンコ店の店員の作業負担の軽減と、公平性の担保を実現しつつ、遊技者が安心して遊技台を離席し、休憩をとることが可能となる。
【００２２】
さらに、中断状態に移行する際には、遊技球の貸出のためにカードユニットに挿入されていた記憶媒体（例えば、ＩＣカードとして構成された遊技カード）が排出される。このため、遊技者が休憩をとる際、記憶媒体を遊技台から持ち去ることができ、中断状態中に記憶媒体が盗まれてしまうことを防ぐことができる。
【００２３】
また、遊技者に対し、中断状態に移行した後、制限時間が経過すると持球が回収される旨を通知したうえで、遊技者から中断指示を受け付けるため、遊技者の意図に反して持球が回収されてしまうことが無く、トラブルの発生を防ぐことができる。
【００２４】
また、中断状態中は、持球が回収されるまでの残り時間が表示されるため、休憩をとる遊技者に対し、制限時間内に遊技を開始することへの注意喚起を行うことができる。また、中断状態に移行した後の経過時間が正確にカウントされていることを示すことができ、遊技者の信頼を損なうこと無く、持球を回収することができる。
【００２５】
また、中断状態中は、記憶媒体を再挿入することで中断状態が解除される旨が表示されるため、遊技者は、円滑に中断状態を解除し、遊技を再開することができる。
また、持球が存在する場合に限り弾球遊技機を中断状態とすることができ、さらに、中断状態の継続時間が制限時間に達した場合には、持球が回収されてしまうため、いたずら等により弾球遊技機に中断指示がなされてしまうことを防ぐことができる。
【００２６】
ところで、近年では、友人，家族，恋人等、グループでパチンコ店に行くというケースも増えており、グループ内で持球や貯球（パチンコ店に預けられている遊技球）を共有し、各メンバーが複数の異なる遊技台で遊技を行うというケースが増えている。
【００２７】
これに対し、封入式の弾球遊技機では、遊技者が直接遊技球を弾球遊技機に供給することは無く、持球を共有するため、持球の数や遊技球の貸出を行うための残金が記憶された遊技カードをグループ内で使い回すことが考えられる。
【００２８】
しかしながら、特許文献１に記載されているように、一般的に、封入式の弾球遊技機では、持球が存在する状態で遊技カードを排出すると、必ず遊技カードに持球の数が記録され、弾球遊技機に持球が残されていない状態となる。このため、遊技カードが排出された後には弾球遊技機で遊技を行うことができなくなり、グループ内で遊技カードを共有し、複数の遊技台で遊技を行うことができなくなってしまう。
【００２９】
そこで、請求項２に記載の封入式の弾球遊技機は、カードユニットに記憶媒体が挿入されている場合に、遊技者からの返却指示に応じて、当該弾球遊技機を、現時点で存在する持球を用いた遊技が可能な返却状態に移行させると共に、カードユニットに対し、挿入されている記憶媒体を排出させる返却手段と、持球が存在する場合に、遊技者からの終了指示に応じて、カードユニットに対し、挿入されている記憶媒体に現在の持球の数を記憶させ、その後、該記憶媒体を排出させる終了手段と、をさらに備える。
【００３０】
こうすることにより、返却指示を行うことで、弾球遊技機に持球を残したまま、記憶媒体（例えば、遊技カード）をカードユニットから排出させることができ、該弾球遊技機での遊技を可能としたまま、排出された記憶媒体を用いて他の弾球遊技機で遊技球の貸出を行うことができる。このため、１つの記憶媒体により、複数の弾球遊技機で同時期に遊技球の貸出を行うことが可能となり、グループ内で１つの記憶媒体を共有し、該記憶媒体を用いてグループのメンバーが複数の異なる遊技台で遊技を行うことが可能となる。
【００３１】
しかしながら、この記憶媒体を用いて、１人の遊技者が複数の弾球遊技機で遊技球の貸出を行い、同時期に、これらの弾球遊技機に持球が存在する状態にすることができ、これにより、１人の遊技者により複数の遊技台が同時に確保されてしまう。なお、これらの弾球遊技機のうち、遊技者が遊技を行っていない弾球遊技機では他人が勝手に持球を使用して遊技を行われてしまう可能性があるが、近接する複数の遊技台を確保した場合には、その可能性は低くなる。
【００３２】
そこで、請求項３に記載の封入式の弾球遊技機は、返却状態中、持球の数が一定値に維持されている維持時間をカウントするカウント手段と、維持時間が予め定められた時間に達すると、持球の数を低減させる返却状態回収手段と、をさらに備える。
【００３３】
このような構成によれば、返却指示により記憶媒体が排出された後、一定時間にわたり遊技が行われない場合には、弾球遊技機に残された持球が回収されてしまう。このため、返却状態となった弾球遊技機を無制限に放置しておくことができず、返却指示を利用して、１人の遊技者により複数の遊技台が同時に確保されてしまうことを抑止することができる。
【００３４】
なお、請求項４に記載されているように、封入式の弾球遊技機は、いずれかの記憶媒体がカードユニットに挿入され、貸出操作がなされると、返却状態を解除する返却状態解除手段をさらに備えていても良い。
【００３５】
こうすることにより、返却状態となった後、持球を全て使用した場合であっても、記憶媒体により遊技球の貸出を行うことで遊技を継続することができる。
なお、請求項５に記載の封入式の弾球遊技機のように、制限時間は、中断状態に移行する時点の持球の数に応じた長さに設定され、該持球の数が多いほど、制限時間が長く設定されても良い。
【００３６】
こうすることにより、多くの持球を残して中断指示を行うことで、長時間にわたり休憩をとることができる。一方、パチンコ店側としては、長時間の休憩により弾球遊技機の稼働率が下がるが、制限時間に達しても遊技者が遊技を開始しない場合にはより多くの持球を回収することができ、弾球遊技機の稼働率が低下することの損失を軽減することができる。
【図面の簡単な説明】
【００３７】
【図１】パチンコ機の正面図である。
【図２】パチンコ機の遊技盤の正面図である。
【図３】パチンコ機の裏面図である。
【図４】パチンコ機の電気的構成を示すブロック図である。
【図５】返却操作，中断操作，終了操作の内容を示す表である。
【図６】カードユニット，パチンコ機の動作についての説明図である。
【図７】中断可能時間等について説明するための表である。
【図８】返却操作，中断操作，終了操作についてのタイミングチャートである。
【図９】返却操作等がなされた後に表示される画面についての説明図である。
【図１０】返却操作等がなされた後に表示される画面についての説明図である。
【図１１】返却操作，中断操作，終了操作の具体例を示した表である。
【図１２】返却操作，中断操作，終了操作の具体例を示した表である。
【図１３】カード挿入時処理についてのフローチャートである。
【図１４】貸出処理についてのフローチャートである。
【図１５】持球加減算処理についてのフローチャートである。
【図１６】中断処理についてのフローチャートである。
【図１７】中断取消処理についてのフローチャートである。
【図１８】中断時間経過処理についてのフローチャートである。
【図１９】遊技終了処理についてのフローチャートである。
【図２０】カード返却処理についてのフローチャートである。
【図２１】回収時間経過処理についてのフローチャートである。
【発明を実施するための形態】
【００３８】
以下、本発明の実施形態について図面を用いて説明する。なお、本発明の実施の形態は、下記の実施形態に何ら限定されることはなく、本発明の技術的範囲に属する限り種々の形態を採りうる。
【００３９】
［構成の説明］
本実施形態のパチンコ機５０は、その内部に封入された所定数の遊技球が循環して遊技に使用されるタイプのパチンコ機である。したがって、このパチンコ機５０で遊技を行う遊技者は、遊技球を直接手にすることはなく、パチンコ機５０にてデータとして保持される持球（遊技に用いることができる遊技球）の数に基づいて遊技を行う。
【００４０】
図１に示すように、パチンコ機５０は、縦長の固定外郭保持枠をなす外枠５１にて各構成を保持する構造を有している。外枠５１の左側上下にはヒンジ５３が設けられており、ヒンジ５３により、板ガラス６１が嵌め込まれた前枠（ガラス枠）５２及び後述の内枠が、外枠５１に対し開閉可能に保持される。また、前枠５２の板ガラス６１の奥には、内枠に保持された遊技盤１（図２）が設けられている。
【００４１】
前枠５２の上部の左右両側にはスピーカ６６が設置されており、これらにより遊技音が出力され、遊技の趣向性を向上させる。また、前枠５２には、遊技状態に応じて発光する枠側装飾ランプ６５のほか、遊技の異常を報知するＬＥＤが設けられている。
【００４２】
前枠５２の下部における向かって右側には、発射ハンドル６４が設けられており、該発射ハンドル６４を時計回りに操作することにより発射装置が作動し、遊技球が遊技盤１に向けて発射される。また、前枠５２の下部における中央には、演出ボタン６７及びジョグダイヤル６８が設けられている。
【００４３】
また、パチンコ機５０に付属してカードユニット５６が設けられていると共に、前枠５２の下部には、カードユニット５６に挿入されたＩＣカード（遊技カード）に記憶されている残金や、遊技者の持球の数を表示するための所有情報表示装置４５が設けられている。
【００４４】
そして、カードユニット５６の利用可ランプ５６ｄが点灯していることを確認したうえで、残金等が記憶されている遊技カードをカード挿入・排出口５６ａに挿入すれば、カード挿入ランプ５６ｅが点灯し、挿入された遊技カードに記憶されている情報が読出される。読み出された情報は、パチンコ店に設置された管理用コンピュータに送信されると共に、該情報の照合結果が管理用コンピュータから返信され、照合内容が一致すれば、残金等が所有情報表示装置４５に表示される。
【００４５】
また、カードユニット５６では、１回の遊技球の貸出で遊技カードから引き落とされる引落額を設定でき、引落額が引落額表示ランプ５６ｃに点灯表示される。引落額を変更したい場合には引落額切替スイッチ５６ｂを押圧すれば良く、引落額切替スイッチ５６ｂを押圧する毎に引落額表示ランプ５６ｃが、「１００」，「２００」，「３００」，「５００」，「１００」，…の順序で点灯し、引落額が変更される。
【００４６】
そして、遊技者がパチンコ機５０に設けられている貸出ボタン４１を操作すると、予め設定されている引落額が遊技カードの残金から減額されるとともに、引落額と引き換えに遊技者に貸された持球の数等がパチンコ機５０に出力される。そして、これを受信したパチンコ機５０は、持球数を更新し、最新の持球数を所有情報表示装置４５に表示する。
【００４７】
また、所有情報表示装置４５には、貸出ボタン４１のほか、遊技台を離れる際に遊技を一時的に中断させる中断ボタン４２と、本パチンコ機５０に持球を残しつつ遊技カードを返却する返却ボタン４３と、遊技を終了する終了ボタン４４が設けられている（これらのボタンの操作については後述する）。
【００４８】
なお、図１に記載のカードユニット５６には、紙幣投入口が設けられておらず、新たな金銭を投入し、挿入された遊技カードの残金を加算することはできないが、カードユニット５６に紙幣投入口を設け、現金による持球の貸出や、遊技カードの残金の加算を行えるようにしても良い。
【００４９】
また、図１の３９は、前枠５２及び前記内枠を外枠５１にロックするシリンダ錠であり、該シリンダ錠３９に所定の鍵を挿入して鍵を時計回りに操作すると、内枠が開放され、反時計回りに操作すると、前枠５２が開放される。
【００５０】
また、図２に示すように、遊技盤１には、外レール２ａと内レール２ｂとによって囲まれた略円形の遊技領域３が形成されている。遊技領域３には、その中央部にセンターケース５が装着され、センターケース５に向かって左横には、普通図柄作動ゲート１７が設置されている。普通図柄作動ゲート１７を遊技球が通過すると、普通図柄の当否抽選用の複数種類の乱数が抽出され、抽出された乱数に基づく当否判定（普通図柄抽選）が行なわれる。
【００５１】
センターケース５の直下には、遊技球の入球に起因して、特別図柄（特図とも記載）の変動表示を伴う大当り抽選が行われる第１始動口１１及び第２始動口１２が、上下に並んで配設されている。本パチンコ機５０は、第１始動口１１への入球と、第２始動口１２への入球により変動する１つの特別図柄を備える。第１始動口１１は、常時遊技球が入球可能に構成されているが、第２始動口１２は、普通図柄抽選での当選により開放される普通電動役物として構成されており、開放時のみ入球可能となっている。
【００５２】
第１始動口１１，第２始動口１２に遊技球が入球すると、特図に対応する複数種類の乱数が抽出され、保留記憶として記憶される。
普通電動役物として構成された第２始動口１２は、普通図柄抽選での当選時に、所定時間の開放が行われる。
【００５３】
第２始動口１２の下方には、大当り抽選で当ると行われる大当り遊技の際に開放される特別電動役物からなる大入賞口１４が配設されている。また、遊技領域３における向かって左下の領域には、複数の一般入賞口３１〜３４が配設されている。
【００５４】
遊技盤１における向かって右下の領域には、７セグメントの特図表示装置９と、４個のＬＥＤからなる特図保留数表示装置１８と、２個のＬＥＤからなる普通図柄表示装置７と、４個のＬＥＤからなる普図保留数表示装置８が設置されている。
【００５５】
図２に示す遊技盤１のセンターケース５には、中央に演出図柄表示装置６（全体の図示は省略）のＬＣＤパネルが配設され、ＬＣＤパネルの画面上では、演出図柄の変動表示等を行うことで、特図に対応する大当り抽選の結果を報知する図柄演出が行われる。
【００５６】
また、センターケース５には、周知のものと同様にワープ入口、ワープ樋、ステージ等が設けられている。
なお、遊技盤１の遊技領域３には多数の遊技釘４が植設されており、盤面最下部にはアウト口が設けられている。
【００５７】
また、図３に示すように、パチンコ機５０の裏側は、遊技盤１を脱着可能に取付ける内枠７０が外枠５１に収納された構成となっている。内枠７０は、前枠５２と同様、一方の側縁（図３に向かって右側）の上下位置が外枠５１に設けられたヒンジ５３に結合され、開閉可能に設置されている。内枠７０には、遊技球流下通路が形成されており、上方（上流）から球タンク７１、タンクレール７２が設けられている。
【００５８】
また、パチンコ機５０の裏側には、主制御装置８０、演出図柄制御装置８２、サブ統合制御装置８３、発射制御装置（図示無し）、電源基板８５が設けられている。主制御装置８０，演出図柄制御装置８２，サブ統合制御装置８３は、遊技盤１に設けられ、発射制御装置，電源基板８５は、内枠７０に設けられている。
【００５９】
また、球タンク７１の右側には、外部接続端子板７８が設けられており、外部接続端子板７８により、遊技状態や遊技結果を示す信号が管理用コンピュータへ送られる。
次に、パチンコ機５０の電気的構成について、図４に記載のブロック図を用いて説明する。図４に記載されているように、パチンコ機５０は、主制御装置８０を中心にして構成されている。なお、このブロック図には、電源基板等は記載していない。また、詳細の図示は省略するが、主制御装置８０、演出図柄制御装置８２、サブ統合制御装置８３のいずれもＣＰＵ、ＲＯＭ、ＲＡＭ、入力ポート、出力ポート等を備えているが、本実施例では、発射制御装置８４、電源基板にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。
【００６０】
主制御装置８０には、第１始動口１１に入球した遊技球を検出する第１始動口ＳＷ１１ａ、第２始動口１２に入球した遊技球を検出する第２始動口ＳＷ１２ａ、普通図柄作動ゲート１７に進入した遊技球を検出する普通図柄作動ＳＷ１７ａ、大当り遊技の際に開放される大入賞口１４に入球した遊技球を計数するためのカウントＳＷ１４ａ、一般入賞口３１〜３４に入球した遊技球を検出する左入賞口ＳＷ３１ａ等の検出信号が入力される。
【００６１】
主制御装置８０は、搭載しているプログラムに従って動作し、上述の検出信号などに基づいて遊技の進行に関わる各種のコマンドを生成してサブ統合制御装置８３に出力する。
また、主制御装置８０は、図柄表示装置中継端子板９０を介して接続されている特図表示装置９及び普通図柄表示装置７の表示や、特図保留数表示装置１８及び普図保留数表示装置８の点灯を制御する。
【００６２】
更に、主制御装置８０は、大入賞口ソレノイド１４ｂを制御することで大入賞口１４の開閉を制御し、普電役物ソレノイド１２ｂを制御することで第２始動口１２の開閉を制御する。
【００６３】
主制御装置８０からは、図柄変動や大当り等の遊技情報が外部接続端子板７８に出力されて管理用コンピュータ８７に送られる。
また、主制御装置８０は、カードユニット端子板２４を介してカードユニット５６と通信可能に構成されていると共に、カードユニット端子板２４を介して、遊技者から球貸しを行うための指示や、持球の数や遊技カードの残金を表示するための所有情報制御装置４０に接続されている。
【００６４】
この所有情報制御装置４０は、貸出ボタン４１，中断ボタン４２，返却ボタン４３，終了ボタン４４の操作を検出し、検出結果をカードユニット５６や主制御装置８０に送信する。また、カードユニット５６や主制御装置８０からの指示に応じて、所有情報表示装置４５に各種情報を表示する。
【００６５】
また、主制御装置８０には、発射制御装置８４から発射された遊技球を検出する発射検出ＳＷ２０と、遊技領域３に向けて発射された後にアウト口に入球した遊技球を検出するアウト球検出ＳＷ２１と、発射制御装置８４から発射された後、遊技領域３に到達せず、ファール球となった遊技球を検出するファール球検出ＳＷ２２が接続されている。
【００６６】
主制御装置８０には、これらの検出ＳＷからの検出信号が入力され、該検出信号に基づき、持球の数が加減算される。すなわち、遊技球の発射に応じて持球が減算されると共に、ファール球の発生に応じて持球が加算される。また、一例として、第１始動口１１，第２始動口１２，一般入賞口３１〜３４，大入賞口１４の賞球数が、それぞれ、３球，２球，１０球，１５球に設定されており、各入賞口への入賞時には、対応する賞球が持球に加算される。
【００６７】
また、発射検出ＳＷ２０により検出された遊技球がＩＮとしてカウントされると共に、ファール球の発生によりＩＮとしてカウントされた遊技球が減算される。また、アウト球検出ＳＷ２１，左入賞口ＳＷ３１ａ，第１，第２始動口ＳＷ１１ａ，１２ａ，カウントＳＷ１４ａにより検出された遊技球がＯＵＴとしてカウントされ、ＩＮの数とＯＵＴの数が一致しない場合には、エラーとなる。
【００６８】
また、主制御装置８０は、中断状態（詳細は後述する）でない場合、持球が存在する場合に限り、発射制御装置８４による遊技球の発射を許可する。
発射制御装置８４は、発射モータ３０を制御して、遊技球を遊技領域に遊技球を発射させる。
【００６９】
なお、発射制御装置８４には発射ハンドル６４からの回動量信号、タッチＳＷ２８からのタッチ信号、発射停止ＳＷ２９から発射停止信号が入力される。
回動量信号は、遊技者が発射ハンドル６４を操作することで出力され、タッチ信号は遊技者が発射ハンドル６４を触ることで出力され、発射停止スイッチ信号は、遊技者が発射停止ＳＷ２９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００７０】
サブ統合制御装置８３は所謂サブ制御装置に該当し、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカ６６からの音声出力を制御し、ランプ制御装置としての機能部はランプ制御用のデータに基づいてランプドライバを作動させることによって各種ＬＥＤ、ランプ６５を制御する。
【００７１】
また、サブ統合制御装置８３には、演出ボタン６７，ジョグダイヤル６８が接続されており、遊技者がこれらを操作した際には、操作信号がサブ統合制御装置８３に入力される。
【００７２】
サブ統合制御装置８３と演出図柄制御装置８２とは双方向通信が可能である。
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄等の演出画像を表示させる。
【００７３】
なお、サブ統合制御装置８３から主制御装置８０へのデータ送信は行われない。
［動作の説明］
（１）パチンコ機とカードユニットの動作について
既に述べたように、パチンコ機５０は封入式として構成されており、遊技カードをカードユニット５６に挿入して貸出ボタン４１を操作し（貸出操作）、パチンコ機５０を持球が存在する状態とすることで遊技が可能となる。そして、カードユニット５６及びパチンコ機５０は、この貸出操作のほか、返却ボタン４３の操作（返却操作）と、中断ボタン４２の操作（中断操作）と、終了ボタン４４の操作（終了操作）を受け付けることができる。
【００７４】
図５（ａ）に記載されているように、返却操作は遊技中等に無条件に受け付けられ、パチンコ機５０に持球が存在する場合には、返却操作によりカードユニット５６に挿入された遊技カードが排出されると共に、パチンコ機５０は、その時点で存在する持球による遊技が可能な返却状態となる。返却状態となったパチンコ機５０では、持球の数が変化しない時間がカウントされ、該時間が一定値に達した場合には持球が回収されるが、遊技により持球の数が変化した場合には、カウントされた時間がリセットされる。また、遊技カードが挿入されて遊技球の貸出がなされると、返却状態が解除される。
【００７５】
また、中断操作は、持球の数が一定値以上である場合に受け付けられ、中断操作により、パチンコ機５０は、持球を保持したまま遊技が不可能な中断状態になると共に、カードユニット５６に挿入された遊技カードが排出される。そして、排出された遊技カードを再度カードユニット５６に挿入することで、パチンコ機５０の中断状態が解除され、遊技が可能となる。また、中断状態となったパチンコ機５０では、一定時間が経過しても中断状態が解除されない場合には、保持されている持球が回収される。
【００７６】
また、終了操作は、持球が存在する場合に受け付けられ、終了操作により、現在の持球の数が遊技カードに記憶されると共に、該遊技カードがカードユニット５６から排出される。これにより、パチンコ機５０の持球が０となり、カードユニット５６に新たに遊技カードを挿入して貸出操作を行うことにより、持球が加算され、パチンコ機５０での遊技が可能となる。
【００７７】
また、図５（ｂ）に記載されているように、パチンコ機５０に持球が無い場合に返却操作を受け付けると共に、返却操作に応じてカードユニット５６から遊技カードを排出し、以後、カードユニット５６に新たな遊技カードを挿入し、パチンコ機５０にて、新たな持球での遊技を可能としても良い。
【００７８】
次に、パチンコ機５０と、これに付属するカードユニット５６の動作について、図６を用いて説明する。
パチンコ機５０の主制御装置８０は、遊技者の持球の数を示す持球情報を有しており、発射検出ＳＷ２０からの検出信号により、発射制御装置８４により発射された遊技球をカウントし、発射された遊技球の数を示す発射球情報を更新すると共に、持球情報を更新し、発射された遊技球の数を持球から減じる。
【００７９】
また、主制御装置８０は、ファール球検出ＳＷ２２からの検出信号によりファール球（発射制御装置８４により発射されたが、遊技領域３に到達しなかった遊技球）をカウントし、ファール球の数を示すファール球情報を更新すると共に、持球情報を更新し、ファール球の数を持球に加える。
【００８０】
また、主制御装置８０は、各入賞口に設けられたＳＷからの検出信号により遊技球の入賞を検出すると、遊技者に付与される賞球の数をカウントし、遊技者に付与された賞球数を示す賞球情報を更新する。また、持球情報を更新し、付与された賞球数を持球に加える。
【００８１】
また、カードユニット５６に挿入される遊技カードには、一般の遊技者により使用される一般カードと、パチンコ店に会員登録した遊技者に付与される会員カードの２種類が存在する。
【００８２】
一般カードには、持球を得るための残金を示す有価価値情報が記憶されている。一方、会員である遊技者は、持球をパチンコ店に貯球として預け、この貯球を用いて遊技を行うことが可能となっており、会員カードには、貯球の数を示す貯球情報を記憶することが可能となっている（無論、会員カードに有価価値情報を記憶可能としても良い）。
【００８３】
そして、一般カードが挿入されると、カードユニット５６は、一般カードから有価価値情報を読み出し、所有情報制御装置４０から貸出操作が発生した旨の通知を受け取ると、有価価値情報が示す残金により遊技球の貸出を行う。すなわち、カードユニット５６は、貸出操作に応じて有価価値情報を更新し、設定されている引落額を残金から減額すると共に、主制御装置８０に対し、貸出される遊技球の数（引落額に相当する遊技球の数）を通知する貸出通知を行う。一方、貸出通知を受け取った主制御装置８０は、持球情報を更新し、貸出された遊技球の数を持球に加える。
【００８４】
また、カードユニット５６は、一般カードが挿入された状態で所有情報制御装置４０から返却操作が発生した旨の通知を受け取ると、最新の有価価値情報を該一般カードに記憶させた後、該一般カードを排出する。このとき、主制御装置８０に記憶されている持球情報はそのまま保持され、パチンコ機５０は、該持球情報が示す持球による遊技が可能な返却状態となる（なお、持球が存在しない状態で返却操作を受け付けた場合には、パチンコ機５０は返却状態に移行せず、返却操作の後、遊技球の貸出を行うことで、パチンコ機５０での遊技が可能となる）。
【００８５】
また、カードユニット５６は、一般カードが挿入されており、所定数の持球が存在する状態で、所有情報制御装置４０から中断操作が発生した旨の通知を受け取ると、パチンコ機５０の識別情報（中断情報）を挿入されている一般カードに記憶させた後、該一般カードを排出する。このとき、主制御装置８０に記憶されている持球情報はそのまま保持されるが、パチンコ機５０での遊技ができない中断状態となる。
【００８６】
そして、中断情報が記憶された一般カードをカードユニット５６に再度挿入することで、該一般カードに記憶されている中断情報が消去されると共に、該持球情報が示す持球による遊技が可能となり、一定時間を経過しても該一般カードが挿入されない場合には、パチンコ機５０に保持されている持球が回収される（詳細は後述する）。
【００８７】
また、カードユニット５６は、一般カードが挿入された状態で所有情報制御装置４０から終了操作が発生した旨の通知を受け取ると、最新の有価価値情報を挿入されている一般カードに記憶させた後、該一般カードを排出する。また、カードユニット５６は、パチンコ機５０から持球情報を取得し、該持球情報が示す持球の数を示す獲得球情報を、カードユニット５６の内部にストックされている清算媒体（ＩＣカード）に記憶させ、該清算媒体を排出する。
【００８８】
なお、この清算媒体は、遊技カードと同様に構成されており、カードユニット５６に清算媒体を挿入して遊技を行うことも可能となっている。
また、このとき、主制御装置８０に記憶されている持球情報は消去され、以後、パチンコ機５０で新たに遊技を行うことが可能となる。
【００８９】
また、カードユニット５６は、清算媒体に替えて、挿入されている一般カードに獲得球情報を記憶して排出しても良い。
また、上述したように、カードユニット５６に現金を投入可能に構成することもでき、このような場合には、カードユニット５６に遊技カードが挿入されていなくても、パチンコ機５０で遊技を行うことができる。
【００９０】
そして、遊技カードが未挿入の時に現金が投入された場合、カードユニット５６は、投入金額を示す有価価値情報を生成する。そして、該有価価値情報が存在する状態で貸出操作の通知を受け取ると、カードユニット５６は、一般カードが挿入されている場合と同様にして、該有価価値情報に基づき遊技球の貸出を行う。
【００９１】
また、カードユニット５６は、遊技カードは挿入されていないが、現金の投入により有価価値情報が生成された状態で返却操作の通知を受け取ると、カードユニット５６にストックされている清算媒体に該有価価値情報を記憶し、該清算媒体を一般カードとして排出しても良い。このとき、主制御装置８０に記憶されている持球情報はそのまま保持され、パチンコ機５０は、該持球情報が示す持球による遊技が可能な状態に維持される（なお、持球が存在しない場合には、返却操作の後、遊技球の貸出を行うことでパチンコ機５０での遊技が可能となる）。
【００９２】
また、カードユニット５６は、遊技カードは挿入されていないが、現金の投入により有価価値情報が存在する状態で中断操作の通知を受け取ると、カードユニット５６にストックされている清算媒体に中断情報を記憶させた後、該清算媒体を一般カードとして排出する。このとき、主制御装置８０に記憶されている持球情報はそのまま保持されるが、パチンコ機５０は中断状態となる。なお、排出された一般カードをカードユニット５６に挿入することで、該一般カードに記憶されている中断情報が消去されると共に、該持球情報が示す持球による遊技が可能となり、一定時間を経過しても該一般カードが挿入されない場合には、パチンコ機５０に保持されている持球が回収される（詳細は後述する）。
【００９３】
また、カードユニット５６は、遊技カードは挿入されていないが、現金の投入により有価価値情報が存在する状態で終了操作の通知を受け取ると、カードユニット５６にストックされている清算媒体に持球の数を獲得球情報として記憶させた後、該清算媒体を排出する。このとき、主制御装置８０に記憶されている持球情報は消去され、以後、パチンコ機５０での遊技が可能となる。
【００９４】
一方、貯球情報が記憶された会員カードが挿入されると、カードユニット５６は、会員カードから貯球情報を読み出し、貸出操作の通知を受け取ると、貯球を持球に交換する。すなわち、カードユニット５６は、貸出操作に応じて貯球情報を更新し、所定数の貯球を減ずると共に、主制御装置８０に対し、減じた貯球の数に対応する持球の数を通知する貸出通知を行う。一方、貸出通知を受け取った主制御装置８０は、持球情報を更新し、貸出通知に係る数の持球を追加する。
【００９５】
また、カードユニット５６は、会員カードが挿入された状態で返却操作の通知を受け取ると、会員カードを排出する。このとき、主制御装置８０に記憶されている持球情報はそのまま保持され、パチンコ機５０は返却状態となる（なお、持球が存在しない状態で返却操作を受け付けた場合には、パチンコ機５０は返却状態に移行せず、返却操作の後、遊技球の貸出を行うことで、パチンコ機５０での遊技が可能となる）。
【００９６】
また、カードユニット５６は、会員カードが挿入されており、所定数の持球が存在する状態で、中断操作の通知を受け取ると、会員カードに中断情報を記憶させた後、該会員カードを排出する。このとき、主制御装置８０に記憶されている持球情報はそのまま保持されるが、パチンコ機５０は中断状態となる。なお、排出された会員カードをカードユニット５６に挿入することで、該会員カードに記憶されている中断情報が消去されると共に、該持球情報が示す持球による遊技が可能となり、一定時間を経過しても該会員カードが挿入されない場合には、パチンコ機５０に保持されている持球が回収される（詳細は後述する）。
【００９７】
また、カードユニット５６は、会員カードが挿入された状態で終了操作の通知を受け取ると、パチンコ機５０から持球情報を取得すると共に、会員カードに記憶されている貯球情報を更新し、該持球情報が示す持球の数を貯球に加えた後、該会員カードを排出する。このとき、主制御装置８０に記憶されている持球情報は消去され、以後、パチンコ機５０での遊技が可能となる。
【００９８】
（２）中断操作後の持球の回収について
既に述べたように、中断状態が一定時間以上継続した場合には、パチンコ機５０に保持されている持球が回収される。
【００９９】
パチンコ機５０には、中断可能時間と回収開始時間が設定されており、中断状態に移行した後、中断可能時間が経過すると、演出図柄表示装置６の画面に持球が回収されることを警告する警告画面が表示される。そして、警告画面の表示開始後、回収開始時間（警告時間）が経過すると、持球の回収が開始される。
【０１００】
そして、中断可能時間や回収開始時間は、中断状態に移行した時点の持球の数に応じて異なる時間に設定され、該持球が多いほど、回収が開始されるまでの時間が長く設定される。
【０１０１】
具体例を挙げると、図７（ａ）の表に記載されているように、持球が１２５個以上の場合に限り中断状態への移行を可能とし、中断状態に移行した時点の持球の数が多いほど中断可能時間を長くし、回収開始時間を一定値としても良い（なお、図７の各表における「持球」の欄は、中断状態に移行する際の持球の数を示している）。そして、回収開始時間が経過した時点で、持球を一斉に回収しても良い。
【０１０２】
また、図７（ｂ）の表に記載されているように、持球が１２５個以上の場合に限り中断状態への移行を可能とし、中断可能時間を一定値とすると共に、中断状態に移行した時点の持球の数が多いほど回収開始時間を長くしても良い。そして、回収開始時間が経過した時点で、持球を一斉に回収しても良い。
【０１０３】
また、これ以外にも、図７（ｃ）の表に記載されているように、持球が１２５個以上の場合に限り中断状態への移行を可能とし、中断状態に移行した時点の持球の数に関らず、中断可能時間，回収可能時間を一定値としても良い。一方、持球の回収方法を、回収開始時間が経過した時点で所定数（１２５個）の持球を回収し、以後、所定の回収時間が経過する度に該所定数の持球を回収するという方法とし、中断状態に移行した時点の持球が多いほど、回収時間を長く設定しても良い。
【０１０４】
なお、図７（ｃ）の例における持球の回収方法に関して、回収時間を一定値とし、中断状態に移行した時点の持球が多いほど、各回収タイミングで回収される持球の数を少なくしても良い。
【０１０５】
また、持球の回収が開始された後、持球の数が０になるまでの間に、中断情報が記憶された遊技カードがカードユニット５６に挿入されると、その時点で中断状態が解除され、その時点で残っている持球を用いて遊技を行うことができる。
【０１０６】
また、図７におけるいずれの例に対応する方法で持球を回収する場合にも、中断状態中（或いは、中断状態に移行するか否かの問い合わせ中）には、演出図柄表示装置６（或いは、所有情報表示装置４５）に、中断可能時間や、回収開始時間や、回収方法が表示される。
【０１０７】
また、上述したように、パチンコ機５０では、中断状態に移行する際の持球の数の範囲が複数定められていると共に、各範囲に対応する中断可能時間や回収開始時間が定められているが、演出ボタン６７，ジョグダイヤル６８や、図示しない操作部を介して、上記持球の範囲や、中断可能時間や回収開始時間を設定できるよう構成されていても良い。こうすることにより、パチンコ店側で、遊技者の休憩可能時間や、パチンコ機５０を中断状態とする際の担保となる持球の数を定めることが可能となる。
【０１０８】
（３）返却操作等が行われる際に表示される画面について
まず、返却操作が行われる際に演出図柄表示装置６に表示される画面について、図８（ａ）のタイミングチャートを用いて説明する。
【０１０９】
パチンコ機５０では、待機状態（遊技球が発射されておらず、保留記憶が無く、図柄演出が行われていない状態）中には、演出図柄表示装置６に、変動終了画面（いずれかの演出図柄が停止表示された状態の画面）とデモ画面（演出に登場するキャラクタや、パチンコ機５０の説明が行われる画面）が交互に表示される。
【０１１０】
そして、パチンコ機５０が待機状態である場合に返却操作がなされると、パチンコ機５０は返却状態に移行し、演出図柄表示装置６には、変動終了画面やデモ画面と共に、持球の数が一定時間にわたり変化しなかった場合には持球が回収される旨を通知する警告テロップが表示される。
【０１１１】
ここで、返却状態であるパチンコ機５０で遊技が行われている場合には、演出図柄表示装置６には、図柄演出等の画面が表示されると共に、該画面に警告テロップが表示され、持球が無い状態で返却操作が行われた場合には、警告テロップは表示されない。
【０１１２】
なお、図９（ａ）〜（ｃ）には、図柄演出画面の表示中や、変動終了画面の表示中や、デモ画面に表示される警告テロップの具体例が記載されている。
さらに、返却状態中、持球の数が変化しない状態が一定時間以上継続すると、演出図柄表示装置６には、持球が回収される旨や、回収した持球を返却できない旨を通知する回収画面が表示されると共に、持球が回収される。
【０１１３】
なお、この回収画面としては、図１０（ｈ）に記載の回収画面に類似したものを用いることが考えられる。すなわち、図１０（ｈ）に記載の回収画面における「中断開始時に排出されたカードを挿入しても回収は終了できません」というメッセージを除いた画面を、返却状態中に表示される回収画面として用いることが考えられる。
【０１１４】
次に、中断操作が行われる際に演出図柄表示装置６に表示される画面について、図８（ｂ）のタイミングチャートを用いて説明する。パチンコ機５０が待機状態である場合に中断ボタン４２が操作されると（中断操作１）、演出図柄表示装置６には中断説明画面が表示される。
【０１１５】
この中断説明画面では、中断ボタン４２が再度操作されると、パチンコ機５０が中断状態となり、持球を保持したまま遊技が不可能となることや、中断操作に応じて排出された遊技カードを再度カードユニット５６に挿入することで、中断状態が解除され、保持された持球を用いた遊技が可能となることや、一定時間を経過しても該遊技カードが挿入されない場合には、持球が回収されることが通知される。
【０１１６】
さらに、中断説明画面では、遊技者に対し、上記通知内容を承諾するかどうかの問い合わせがなされ、承諾する場合には中断ボタン４２を押し（中断操作２）、承諾しない場合には他のボタンを押すことが指示される。
【０１１７】
なお、図９（ｄ），（ｅ）には、中断説明画面の具体例が記載されている。
そして、中断操作２がなされると、カードユニット５６から遊技カード（或いは清算媒体）が排出されると共に、パチンコ機５０は中断状態となり、演出図柄表示装置６には、中断画面が表示される。
【０１１８】
この中断画面では、遊技者が席を外していることや、パチンコ機５０が中断状態であることや、中断操作時に排出された遊技カードを再度挿入することで中断状態が解除され、遊技が可能となることや、持球の回収が開始されるまでの残り時間が表示される。ここで、該残り時間とは、例えば、中断状態への移行後、中断可能時間が経過するまでの残り時間であっても良いし、中断可能時間と回収開始時間を足した時間が経過するまでの残り時間であっても良い。なお、図９（ｆ）には、中断画面の一例が記載されている。
【０１１９】
そして、中断画面の表示開始後、中断可能時間が経過すると、演出図柄表示装置６には警告画面が表示される。この警告画面では、パチンコ機５０が中断状態であることや、中断操作時に排出された遊技カードを再度挿入することで中断状態が解除されることが表示されると共に、警告画面の表示が終了し、持球の回収が開始されるまでの残り時間が表示される。なお、警告画面と共に、警告音を発生させても良い。また、図１０（ｇ）には、警告画面の一例が記載されている。
【０１２０】
そして、警告画面の表示開始後、回収開始時間が経過すると、持球の回収が開始され、演出図柄表示装置６には回収画面が表示される。この回収画面では、持球の回収中であることや、中断操作時に排出された遊技カードを再度挿入しても持球が戻ってこないことが表示される。なお、図１０（ｈ）には、回収画面の一例が記載されている。
【０１２１】
また、既に述べたように、回収開始時間の経過後、回収時間が経過する度に所定数の持球が回収されるという場合には、持球の回収が開始された後であっても、中断状態に移行する際に排出された遊技カードを再度挿入することで、遊技球の回収が中止され、中断状態が解除される。このような場合には、回収画面に、該遊技カードを再度挿入することで回収が終了し、中断状態が解除される旨や、該遊技カードを挿入しても、回収済の持球は返却されない旨が表示される。
【０１２２】
そして、回収により持球が０になると、パチンコ機５０の中断状態が解除され、遊技が可能な状態となる。
また、終了操作に関しては、図８（ｃ）に記載されているように、パチンコ機５０が待機状態である場合に終了操作がなされると、演出図柄表示装置６には終了画面が表示される。この終了画面では、「お疲れ様でした」，「またご来店下さい」，「会員カード又は清算媒体のお取り忘れがないように」等の表示がなされる。そして、一定時間にわたり終了画面が表示された後には、演出図柄表示装置６には、変動終了画面とデモ画面が交互に表示される。なお、図１０（ｉ）には、終了画面の一例が記載されている。
【０１２３】
また、演出図柄表示装置６に限らず、例えば、所有情報表示装置４５に、警告テロップや、回収画面や、中断説明画面や、中断画面や、警告画面等を表示する構成としても良い。
（４）具体例について
次に、貸出操作や、中断操作や、返却操作や、終了操作が行われた際のカードユニット５６やパチンコ機５０の動作の具体例について、図１１，１２を用いて説明する。
【０１２４】
残金５０００円を示す有価価値情報が記憶された一般カードが挿入されると、カードユニット５６は、該有価価値情報を認識し、所有情報表示装置４５や、カードユニット５６に設けられた表示部（図示なし）等に、５０００円に対応する５０を表示させる。
【０１２５】
そして、１回の貸出操作がなされると、一例として５００円分の遊技球の貸出が行われ、カードユニット５６は、有価価値情報を更新し、５０００円から５００円を減額した４５００円を残金とする。そして、所有情報表示装置４５等に、４５００円に対応する４５を表示させる。
【０１２６】
また、カードユニット５６は、パチンコ機５０の主制御装置８０に対し、５００円分に相当する１２５個の遊技球の貸出がなされたことを通知する貸出通知を行う。主制御装置８０は、該貸出通知に応じて持球情報を更新して持球を１２５個とし、所有情報表示装置４５に、持球の数として１２５個を表示する。
【０１２７】
その後、遊技が行われると、主制御装置８０は、遊技の進行に応じて持球の数をカウントし、持球情報を更新すると共に、常時、持球の数を所有情報表示装置４５に表示させる。そして、入賞が生じること無く持球が無くなり、所有情報表示装置４５に０が表示されたとする。
【０１２８】
ここで、中断操作が行われたとしても、カードユニット５６に４５００円を示す有価価値情報が記憶されてはいるものの、持球が無いため、中断操作が受け付けられることは無い。
【０１２９】
さらに、１回の貸出操作がなされると、同様に５００円分の遊技球の貸出が行われ、カードユニット５６は、有価価値情報を更新し、４５００円から５００円を減額した４０００円を残金とする。そして、所有情報表示装置４５等に、４０００円に対応する４０を表示させる。
【０１３０】
また、カードユニット５６は、主制御装置８０に対し、１２５個の遊技球に対応する貸出通知を行う。主制御装置８０は、該貸出通知に応じて持球情報を更新して持球を１２５個とし、所有情報表示装置４５に、持球の数として１２５個を表示する。
【０１３１】
その後、持球により遊技が行われ、２０個目に発射された遊技球により初めて入賞が発生し、該遊技球が一般入賞口に入賞したとする。一般入賞口への入賞により付与される賞球数が１０個であるとした場合、この時点では、主制御装置８０では、持球の数が１１５個として認識され（１２５個−２０個＋１０個）、所有情報表示装置４５に、持球の数として１１５個が表示される。
【０１３２】
ここで、中断操作１，２が行われると、カードユニット５６は、挿入されている一般カードに残金４０００円を示す有価価値情報と中断情報を記憶させた後、該一般カードを排出する。なお、挿入された一般カードを排出するのではなく、カードユニット５６内に予めストックされた、中断情報が記憶されている専用のＩＣカードを排出し、該ＩＣカードを再度挿入することで、中断状態を解除する構成としても良い。
【０１３３】
一方、パチンコ機５０は、中断操作を検出すると共に、カードユニット５６から一般カードを排出した旨の通知を受け取ると、中断状態に移行し、以後、遊技が不可能な状態となる。
【０１３４】
そして、中断状態に移行した後に、カードユニット５６に、中断状態への移行時に排出された一般カードとは異なる遊技カードである会員カードが挿入されると、該会員カードは排出され、パチンコ機５０の中断状態が維持される。また、カードユニット５６に現金が投入されても、該現金は排出される。
【０１３５】
その後、パチンコ機５０に対応する中断情報が記憶された一般カードが挿入されると、カードユニット５６は、該一般カードに記憶されている中断情報を消去すると共に、該一般カードから有価価値情報を読み出し、遊技球の貸出が可能な状態となる。また、パチンコ機５０の主制御装置８０に対し、中断情報が記憶された一般カードが挿入された旨を通知すると共に、該通知を受け取った主制御装置８０は、中断状態を解除し、遊技が可能な状態となる。
【０１３６】
また、中断状態の解除後、１００個の遊技球を発射した時点で大当りが発生し、大当り遊技が行われたとする。主制御装置８０では、大当り遊技の間も同様に持球情報の更新がなされ、大当り遊技の終了時点では、持球の数が１８５６個に達したとする（無論、所有情報表示装置４５には、持球の数として１８５６個が表示される）。
【０１３７】
ここで、返却操作が行われると、カードユニット５６は、挿入されている一般カードに残金４０００円を示す有価価値情報を記憶させた後、該一般カードを排出する。
一方、パチンコ機５０は、返却操作を検出すると共に、カードユニット５６から一般カードを排出した旨の通知を受け取ると、返却状態に移行し、１８５６個の持球による遊技が可能な状態となる。
【０１３８】
その後、返却状態となったパチンコ機５０で遊技が継続して行われ、結果的に１８５６個の持球が全て消費されると、所有情報表示装置４５に０が表示される。なお、この間は遊技により常に持球の数が変化していたため、持球が回収されることは無い。
【０１３９】
そして、残金４０００円を示す有価価値情報が記憶された一般カードが挿入されると、カードユニット５６は、該有価価値情報を認識し、所有情報表示装置４５等に、４０００円に対応する４０を表示させる。
【０１４０】
そして、１回の貸出操作がなされると、一例として５００円分の遊技球の貸出が行われ、カードユニット５６は、有価価値情報を更新し、４０００円から５００円を減額した３５００円を残金とする。そして、所有情報表示装置４５等に、３５００円に対応する３５を表示させる。
【０１４１】
また、カードユニット５６は、パチンコ機５０の主制御装置８０に対し、５００円分に相当する１２５個の遊技球の貸出がなされたことを通知する貸出通知を行う。主制御装置８０は、該貸出通知に応じて持球情報を更新して持球を１２５個とし、所有情報表示装置４５に、持球の数として１２５個を表示する。
【０１４２】
その後、８０個の遊技球を発射した時点で大当りが発生し、大当り遊技が発生したとする。主制御装置８０では、大当り遊技の間も同様に持球情報の更新がなされ、また、大当り遊技の終了時点で、持球の数が１８８４個に達したとする（無論、所有情報表示装置４５には、持球の数として１８８４個が表示される）。
【０１４３】
ここで、終了操作が行われると、カードユニット５６は、主制御装置８０から、持球の数が１８８４個であることを示す持球情報を取得し、該持球情報をストックされている清算媒体に獲得球情報として記憶させ、該清算媒体を排出する。また、残金３５００円を示す有価価値情報を挿入されている一般カードに記憶させ、該一般カードを排出する。なお、該一般カードに、有価価値情報と共に獲得球情報を記憶させて排出しても良い。
【０１４４】
また、主制御装置８０では、持球情報が更新され、持球が０の状態となる。
（５）カード挿入処理について
次に、カードユニット５６に遊技カード等が挿入された場合に、パチンコ機５０の中断状態の解除や、所有情報表示装置４５への各種情報の表示等を行うカード挿入処理について、図１３に記載のフローチャートを用いて説明する。なお、本処理は、パチンコ機５０の主制御装置８０にて定期的に実行される処理である。
【０１４５】
Ｓ１００では、主制御装置８０は、カードユニット５６からの通知に基づき、カードユニット５６に遊技カード（一般カード或いは会員カード）や清算媒体が挿入された否かや、カードユニット５６に現金が投入されたか否かを判定する。そして、遊技カード等が挿入された場合や現金が投入された場合には（Ｓ１００：Ｙｅｓ）、Ｓ１０５に処理を移行し、それ以外の場合には（Ｓ１００：Ｎｏ）、本処理を終了する。
【０１４６】
Ｓ１０５では、主制御装置８０は、遊技カードや清算媒体が挿入され、且つ、中断フラグがセットされているか否か（中断状態か否か）を判定する。そして、肯定判定が得られた場合には（Ｓ１０５：Ｙｅｓ）、Ｓ１１０に処理を移行し、否定判定が得られた場合には（Ｓ１０５：Ｎｏ）、Ｓ１３０に処理を移行する。
【０１４７】
Ｓ１１０では、主制御装置８０は、カードユニット５６から挿入された遊技カード或いは清算媒体に記憶されている中断情報を取得し、該中断情報が、パチンコ機５０に対応するものであるか否かを判定する。そして、肯定判定が得られた場合には（Ｓ１１０：Ｙｅｓ）、Ｓ１２０に処理を移行し、否定判定が得られた場合には（Ｓ１１０：Ｎｏ）、Ｓ１１５に処理を移行する。なお、挿入された遊技カードに中断情報が記憶されておらず、カードユニット５６から中断情報を取得できなかった場合には、Ｓ１１５に処理を移行する。
【０１４８】
Ｓ１１５では、主制御装置８０は、カードユニット５６に対し、挿入された遊技カードや清算媒体を排出させ、本処理を終了する。なお、このとき、主制御装置８０は、サブ統合制御装置８３と通信を行い、演出図柄表示装置６に、挿入された遊技カードが、中断状態に移行する際に排出された遊技カードとは異なるものである旨を表示させる。
【０１４９】
また、Ｓ１２０では、主制御装置８０は、中断状態を解除し、現時点で存在する持球による遊技を可能とする遊技再開処理を行うと共に、中断フラグをクリアし（Ｓ１２５）、本処理を終了する。
【０１５０】
一方、Ｓ１３０では、主制御装置８０は、カードユニット５６からの通知に基づき、会員カードが挿入されたか否かを判定する。そして、肯定判定が得られた場合には（Ｓ１３０：Ｙｅｓ）、Ｓ１３５に処理を移行し、否定判定が得られた場合には（Ｓ１３０：Ｎｏ）、Ｓ１４０に処理を移行する。
【０１５１】
Ｓ１３５では、主制御装置８０は、カードユニット５６から、挿入された会員カードに記憶されている貯球データ（貯球情報）を取得すると共に、所有情報表示装置４５に該貯球データが示す貯球の数を表示させ、本処理を終了する。
【０１５２】
また、Ｓ１４０では、カードユニット５６に一般カードが挿入された場合や、現金が投入された場合には、カードユニット５６により、所有情報表示装置４５に残金が表示される。一方、カードユニット５６に清算媒体が挿入された場合には、主制御装置８０は、カードユニット５６から、清算媒体から読み出された持球データ（獲得球情報）を取得し、所有情報表示装置４５に、持球データが示す持球の数を表示する。そして、本処理を終了する。
【０１５３】
（６）貸出処理について
次に、貸出操作に応じて遊技球の貸出を行う貸出処理について、図１４に記載のフローチャートを用いて説明する。なお、本処理は、パチンコ機５０の主制御装置８０にて定期的に実行される処理である。
【０１５４】
Ｓ２００では、主制御装置８０は、カードユニット５６からの通知に基づき、カードユニット５６に遊技カードや清算媒体が挿入されている状態か、或いは、現金が投入され残金が存在している状態か否かを判定する。そして、肯定判定が得られた場合には（Ｓ２００：Ｙｅｓ）、Ｓ２０５に処理を移行し、否定判定が得られた場合には（Ｓ２００：Ｎｏ）、本処理を終了する。
【０１５５】
Ｓ２０５では、主制御装置８０は、所有情報制御装置４０からの通知に基づき、貸出操作がなされたか否かを判定する。そして、肯定判定が得られた場合には（Ｓ２０５：Ｙｅｓ）、Ｓ２１０に処理を移行し、否定判定が得られた場合には（Ｓ２０５：Ｎｏ）、本処理を終了する。
【０１５６】
Ｓ２１０では、主制御装置８０は、カードユニット５６からの通知に基づき、カードユニット５６に会員カードが挿入されている状態か否かを判定する。そして、肯定判定が得られた場合には（Ｓ２１０：Ｙｅｓ）、Ｓ２１５に処理を移行し、否定判定が得られた場合には（Ｓ２１０：Ｎｏ）、Ｓ２２５に処理を移行する。
【０１５７】
Ｓ２１５では、主制御装置８０は、カードユニット５６からの通知に基づき、挿入された会員カードに、１回の貸出操作に対応する数の貯球（一例として１２５個）の存在を示す貯球データが記憶されているか否かを判定する。そして、肯定判定が得られた場合には（Ｓ２１５：Ｙｅｓ）、Ｓ２２０に処理を移行し、否定判定が得られた場合には（Ｓ２１５：Ｎｏ）、本処理を終了する。
【０１５８】
Ｓ２２０では、主制御装置８０は、持球の数を示す持球カウンタ（持球情報）に１２５個を加算すると共に、カードユニット５６に対し、遊技者の貯球から１２５個を減じる旨を指示し、Ｓ２３５に処理を移行する。
【０１５９】
一方、Ｓ２２５では、主制御装置８０は、一般カードが挿入された場合や現金が投入された場合には、カードユニット５６からの通知に基づき、１回の貸出操作に対応する残金の存在を示す有価価値情報が存在するか否かを判定する。また、清算媒体が挿入された場合には、カードユニット５６からの通知に基づき、該清算媒体に、１回の貸出操作に対応する数の持球の存在を示す持球データが記憶されているか否かを判定する。そして、肯定判定が得られた場合には（Ｓ２２５：Ｙｅｓ）、Ｓ２３０に処理を移行し、否定判定が得られた場合には（Ｓ２２５：Ｎｏ）、本処理を終了する。
【０１６０】
Ｓ２３０では、主制御装置８０は、持球の数を示す持球カウンタに１２５個を加算する。また、一般カードが挿入された場合や現金が投入された場合であれば、カードユニット５６に対し、有価価値情報を更新して引落額を残金から減額する旨を指示し、また、清算媒体が挿入された場合であれば、カードユニット５６に対し、持球データを更新して１２５個の持球を減じる旨を指示し、Ｓ２３５に処理を移行する。
【０１６１】
Ｓ２３５，Ｓ２４０では、主制御装置８０は、回収フラグがセットされている場合（返却状態である場合）には、回収フラグをクリアし（返却状態を解除し）、本処理を終了する。
【０１６２】
（７）持球加減算処理について
次に、遊技の進行に伴い持球の数を更新する持球加減算処理について、図１５に記載のフローチャートを用いて説明する。なお、本処理は、パチンコ機５０の主制御装置８０にて定期的に実行される処理である。
【０１６３】
Ｓ３００では、主制御装置８０は、発射検出ＳＷ２０からの検出信号に基づき、発射制御装置８４から遊技球が発射されたか否かを判定する。そして、肯定判定が得られた場合には（Ｓ３００：Ｙｅｓ）、Ｓ３０５に処理を移行し、否定判定が得られた場合には（Ｓ３００：Ｎｏ）、Ｓ３１０に処理を移行する。
【０１６４】
Ｓ３０５では、主制御装置８０は、持球カウンタをデクリメントし、Ｓ３１０に処理を移行する。
Ｓ３１０では、主制御装置８０は、各入賞口に設けられたＳＷからの検出信号に基づき、各入賞口への入賞が発生したか否かを判定する。そして、肯定判定が得られた場合には（Ｓ３１０：Ｙｅｓ）、Ｓ３１５に処理を移行し、否定判定が得られた場合には（Ｓ３１０：Ｎｏ）、Ｓ３２０に処理を移行する。
【０１６５】
Ｓ３１５では、主制御装置８０は、入賞が発生した入賞口に対応する賞球数を持球カウンタに加算し、Ｓ３２０に処理を移行する。
Ｓ３２０では、主制御装置８０は、ファール球検出ＳＷ２２からの検出信号に基づき、ファール球が発生したか否かを判定する。そして、肯定判定が得られた場合には（Ｓ３２０：Ｙｅｓ）、Ｓ３２５に処理を移行し、否定判定が得られた場合には（Ｓ３２０：Ｎｏ）、本処理を終了する。
【０１６６】
Ｓ３２５では、主制御装置８０は、持球カウンタをインクリメントし、本処理を終了する。
（８）中断処理について
次に、中断操作に応じてパチンコ機５０を中断状態に移行させる中断処理について、図１６に記載のフローチャートを用いて説明する。なお、本処理は、パチンコ機５０の主制御装置８０にて定期的に実行される処理である。
【０１６７】
Ｓ４００では、主制御装置８０は、中断フラグがクリアされているか否か（中断状態に移行する前の状態か否か）を判定する。そして、肯定判定が得られた場合には（Ｓ４００：Ｙｅｓ）、Ｓ４０５に処理を移行し、否定判定が得られた場合には（Ｓ４００：Ｎｏ）、本処理を終了する。
【０１６８】
Ｓ４０５では、主制御装置８０は、所有情報制御装置４０からの通知に基づき、中断ボタン４２の操作がなされたか否かを判定する。そして、肯定判定が得られた場合には（Ｓ４０５：Ｙｅｓ）、Ｓ４１０に処理を移行し、否定判定が得られた場合には（Ｓ４０５：Ｎｏ）、本処理を終了する。
【０１６９】
Ｓ４１０では、主制御装置８０は、中断待機フラグがクリアされているか否か（中断説明画面の表示前か否か）を判定する。そして、肯定判定が得られた場合には（Ｓ４１０：Ｙｅｓ）、Ｓ４１５に処理を移行し、否定判定が得られた場合には（Ｓ４１０：Ｎｏ）、Ｓ４２５に処理を移行する。
【０１７０】
Ｓ４１５では、主制御装置８０は、サブ統合制御装置８３と通信を行い、演出図柄表示装置６に中断説明画面を表示させ、中断待機フラグをセットした後に（Ｓ４２０）、本処理を終了する。
【０１７１】
一方、Ｓ４２５では、主制御装置８０は、持球カウンタの値が１２５個以上であるか否かを判定する。そして、肯定判定が得られた場合には（Ｓ４２５：Ｙｅｓ）、Ｓ４３０に処理を移行し、否定判定が得られた場合には（Ｓ４２５：Ｎｏ）、Ｓ４６０に処理を移行する。
【０１７２】
なお、パチンコ機５０は、一定の数の持球が存在する場合に限り中断状態に移行することができ、遊技カードにどのような有価価値情報や貯球データが記憶されていても、一定の数の持球が存在しない場合には、中断状態に移行することができないということを念のため付言しておく。
【０１７３】
Ｓ４３０では、主制御装置８０は、サブ統合制御装置８３と通信を行い、演出図柄表示装置６に中断画面を表示させる。また、例えば、発射制御装置８４による遊技球の発射を禁止する等の方法によりパチンコ機５０での遊技が不可能な状態とし、Ｓ４３５に処理を移行する。
【０１７４】
なお、これ以外にも、主制御装置８０は、持球のカウントを停止することや、入賞を無効とすることや、大当り抽選や図柄演出を行わなくすることや、演出図柄表示装置６の表示を停止する等の方法により、パチンコ機５０での遊技が不可能な状態としても良い。
【０１７５】
Ｓ４３５では、主制御装置８０は、持球カウンタが示す持球の数に応じて、中断可能時間や回収開始時間を設定し、Ｓ４４０に処理を移行する。
Ｓ４４０では、主制御装置８０は、カードユニット５６に対し、パチンコ機５０の識別情報を通知すると共に、該識別情報を、挿入されている遊技カード（或いは清算媒体）に対し中断情報として記憶させるよう指示し、Ｓ４４５に処理を移行する。
【０１７６】
Ｓ４４５，Ｓ４５０では、主制御装置８０は、中断待機フラグをクリアすると共に、中断フラグをセットし、Ｓ４５５に処理を移行する。
Ｓ４５５では、主制御装置８０は、カードユニット５６に対し、中断情報が記憶された遊技カード（或いは清算媒体）を排出する旨を指示し、本処理を終了する。
【０１７７】
一方、Ｓ４６０では、主制御装置８０は、サブ統合制御装置８３と通信を行い、演出図柄表示装置６に、持球の数が少ないため、パチンコ機５０を中断状態に移行させることができない旨を通知する画面を表示する。そして、中断待機フラグをクリアし（Ｓ４６５）、本処理を終了する。
【０１７８】
（９）中断取消処理について
既に述べたように、パチンコ機５０を中断状態に移行させるためには、中断ボタン４２を２回操作する必要があるが、１回目の中断ボタン４２の操作（中断操作１）がなされた後に、中断状態への移行を取り消す中断取消処理について、図１７に記載のフローチャートを用いて説明する。なお、本処理は、パチンコ機５０の主制御装置８０にて定期的に実行される処理である。
【０１７９】
Ｓ５００では、主制御装置８０は、中断待機フラグがセットされているか否か（中断説明画面の表示中か否か）を判定する。そして、肯定判定が得られた場合には（Ｓ５００：Ｙｅｓ）、Ｓ５０５に処理を移行し、否定判定が得られた場合には（Ｓ５００：Ｎｏ）、本処理を終了する。
【０１８０】
Ｓ５０５では、主制御装置８０は、所有情報制御装置４０からの通知に基づき、返却操作がなされたか否かを判定する（なお、図９（ｄ），（ｅ）に記載されているように、中断操作１がなされた後、返却ボタン４３を操作することで、中断状態への移行が取り消される）。そして、肯定判定が得られた場合には（Ｓ５０５：Ｙｅｓ）、Ｓ５１０に処理を移行し、否定判定が得られた場合には（Ｓ５０５：Ｎｏ）、本処理を終了する。
【０１８１】
Ｓ５１０では、主制御装置８０は、サブ統合制御装置８３と通信を行い、演出図柄表示装置６での中断説明画面の表示を停止させる。そして、中断待機フラグをクリアし（Ｓ５１５）、本処理を終了する。
【０１８２】
（１０）中断時間経過処理について
次に、中断状態中に持球の回収等を行う中断時間経過処理について、図１８に記載のフローチャートを用いて説明する。なお、本処理は、パチンコ機５０の主制御装置８０にて定期的に実行される処理である。
【０１８３】
Ｓ５５０では、主制御装置８０は、中断フラグがセットされているか否か（中断状態か否か）を判定する。そして、肯定判定が得られた場合には（Ｓ５５０：Ｙｅｓ）、Ｓ５５５に処理を移行し、否定判定が得られた場合には（Ｓ５５０：Ｎｏ）、本処理を終了する。
【０１８４】
Ｓ５５５では、主制御装置８０は、中断状態に移行した後、中断可能時間と回収開始時間（警告時間）の合算時間（警告終了時間）が経過したか否かを判定する。そして、肯定判定が得られた場合には（Ｓ５５５：Ｙｅｓ）、Ｓ５６０に処理を移行し、否定判定が得られた場合には（Ｓ５５５：Ｎｏ）、Ｓ５７５に処理を移行する。
【０１８５】
Ｓ５６０では、主制御装置８０は、サブ統合制御装置８３と通信を行い、演出図柄表示装置６に回収画面を表示させると共に、持球カウンタをクリアして持球の数を０とし（持球を回収し）、Ｓ５６５に処理を移行する。なお、回収時間が経過する度に所定数の持球が回収されるという場合には、持球の数から所定数が減じられ、以後、回収時間が経過する度に、持球の数から所定数が減じられる。
【０１８６】
Ｓ５６５では、主制御装置８０は、管理用コンピュータ８７に対し、持球を回収した旨と、回収した持球の数とを通知すると共に、中断フラグをクリアし（Ｓ５７０）、本処理を終了する。なお、パチンコ機５０では、これにより中断状態が解除され、回収画面の表示が停止されると共に、以後、遊技カードや現金の投入により、新たに遊技を行うことが可能となる。
【０１８７】
一方、Ｓ５７５では、主制御装置８０は、中断状態に移行した後、中断可能時間（警告開始時間）が経過したか否かを判定する。そして、肯定判定が得られた場合には（Ｓ５７５：Ｙｅｓ）、Ｓ５８０に処理を移行し、否定判定が得られた場合には（Ｓ５７５：Ｎｏ）、本処理を終了する。
【０１８８】
Ｓ５８０では、主制御装置８０は、サブ統合制御装置８３と通信を行い、演出図柄表示装置６での警告画面の表示を開始させ、本処理を終了する。なお、このとき、主制御装置８０は、スピーカ６６から警告音を出力させても良い。
【０１８９】
（１１）遊技終了処理について
次に、終了操作に応じて遊技カード等の排出を行う遊技終了処理について、図１９に記載のフローチャートを用いて説明する。なお、本処理は、パチンコ機５０の主制御装置８０にて定期的に実行される処理である。
【０１９０】
Ｓ６００では、主制御装置８０は、所有情報制御装置４０からの通知に基づき、終了操作がなされたか否かを判定する。そして、肯定判定が得られた場合には（Ｓ６００：Ｙｅｓ）、Ｓ６０５に処理を移行し、否定判定が得られた場合には（Ｓ６００：Ｎｏ）、本処理を終了する。
【０１９１】
Ｓ６０５では、主制御装置８０は、カードユニット５６からの通知に基づき、カードユニット５６に遊技カード或いは清算媒体が挿入されているか否かを判定する。そして、肯定判定が得られた場合には（Ｓ６０５：Ｙｅｓ）、Ｓ６１０に処理を移行し、否定判定が得られた場合には（Ｓ６０５：Ｎｏ）、Ｓ６２５に処理を移行する。
【０１９２】
Ｓ６１０では、主制御装置８０は、持球カウンタの値が０より大きいか否か（持球が存在するか否か）を判定する。そして、肯定判定が得られた場合には（Ｓ６１０：Ｙｅｓ）、Ｓ６１５に処理を移行し、否定判定が得られた場合には（Ｓ６１０：Ｎｏ）、Ｓ６４０に処理を移行する。
【０１９３】
Ｓ６１５では、主制御装置８０は、カードユニット５６からの通知に基づき、カードユニット５６に会員カードが挿入されている状態か否かを判定する。そして、肯定判定が得られた場合には（Ｓ６１５：Ｙｅｓ）、Ｓ６２０に処理を移行し、否定判定が得られた場合には（Ｓ６１５：Ｎｏ）、Ｓ６３０に処理を移行する。
【０１９４】
Ｓ６２０では、主制御装置８０は、カードユニット５６に対し、会員カードに記憶されている貯球データを更新し、持球カウンタが示す持球を遊技者の貯球に加算する旨を指示する。そして、Ｓ６３５に処理を移行する。
【０１９５】
一方、Ｓ６２５では、主制御装置８０は、持球カウンタの値が０より大きいか否か（持球が存在するか否か）を判定する。そして、肯定判定が得られた場合には（Ｓ６２５：Ｙｅｓ）、Ｓ６３０に処理を移行し、否定判定が得られた場合には（Ｓ６１０：Ｎｏ）、本処理を終了する。
【０１９６】
Ｓ６３０では、主制御装置８０は、カードユニット５６に一般カードが挿入されている場合や、一般カードを挿入せず、現金を投入して遊技が行われていた場合には、カードユニット５６に対し、ストックされている清算媒体に、持球カウンタを持球データ（獲得球情報）として記憶させる旨を指示する。
【０１９７】
また、カードユニット５６に清算媒体が挿入されている場合には、カードユニット５６に対し、挿入されている清算媒体に、持球カウンタを持球データ（獲得球情報）として記憶させる旨を指示し、Ｓ６３５に処理を移行する。
【０１９８】
Ｓ６３５では、主制御装置８０は、持球カウンタをクリアし、Ｓ６４０に処理を移行する。
Ｓ６４０では、主制御装置８０は、カードユニット５６に対し、遊技カードや清算媒体の排出を指示する。すなわち、カードユニット５６に会員カードが挿入されている場合には、該会員カードの排出を指示し、一般カードが挿入されている場合には、該一般カードと、持球データが記憶された清算媒体の排出を指示し、清算媒体が挿入されている場合には、該清算媒体の排出を指示する。また、カードユニット５６に現金を投入して遊技が行われた場合には、持球データが記憶された清算媒体の排出を指示し、Ｓ６４５に処理を移行する。
【０１９９】
Ｓ６４０では、主制御装置８０は、サブ統合制御装置８３と通信を行い、演出図柄表示装置６に終了画面を表示すると共に、管理用コンピュータ８７に対し、遊技カードや清算媒体に新たに記憶された持球の数を通知し（Ｓ６４５）、本処理を終了する。
【０２００】
（１２）カード返却処理について
次に、返却操作に応じて遊技カード等を排出すると共に、パチンコ機５０を返却状態に移行させるカード返却処理について、図２０に記載のフローチャートを用いて説明する。なお、本処理は、パチンコ機５０の主制御装置８０にて定期的に実行される処理である。
【０２０１】
Ｓ７００では、主制御装置８０は、所有情報制御装置４０からの通知に基づき、返却操作がなされたか否かを判定する。そして、肯定判定が得られた場合には（Ｓ７００：Ｙｅｓ）、Ｓ７０５に処理を移行し、否定判定が得られた場合には（Ｓ７００：Ｎｏ）、本処理を終了する。
【０２０２】
Ｓ７０５では、主制御装置８０は、カードユニット５６からの通知に基づき、カードユニット５６に遊技カード或いは清算媒体が挿入されているか否かを判定する。そして、肯定判定が得られた場合には（Ｓ７０５：Ｙｅｓ）、Ｓ７１０に処理を移行し、否定判定が得られた場合には（Ｓ７０５：Ｎｏ）、本処理を終了する。
【０２０３】
Ｓ７１０では、主制御装置８０は、カードユニット５６に対し、挿入されている遊技カード或いは清算媒体の排出を指示する。すなわち、会員カードが挿入されている場合には、カードユニット５６に対し、最新の貯球データを会員カードに記憶させることを指示した後、会員カードの排出を指示する。また、一般カードが挿入されている場合には、カードユニット５６に対し、最新の有価価値情報を一般カードに記憶させることを指示した後、一般カードの排出を指示する。また、清算媒体が挿入されている場合には、カードユニット５６に対し、最新の持球データ（遊技に用いられていない持球の数を示す持球データ）を清算媒体に記憶させることを指示した後、清算媒体の排出を指示し、Ｓ７１５に処理を移行する。
【０２０４】
Ｓ７１５では、主制御装置８０は、持球カウンタの値が０より大きいか否かを判定する。そして、肯定判定が得られた場合には（Ｓ７１５：Ｙｅｓ）、Ｓ７２０に処理を移行し、否定判定が得られた場合には（Ｓ７１５：Ｎｏ）、本処理を終了する。
【０２０５】
Ｓ７２０では、主制御装置８０は、サブ統合制御装置８３と通信を行い、演出図柄表示装置６に警告テロップを表示させ、Ｓ７２５に処理を移行する。
Ｓ７２５では、主制御装置８０は、回収フラグをセットし（パチンコ機５０を返却状態とし）、本処理を終了する。
【０２０６】
（１３）回収時間経過処理について
次に、パチンコ機５０が返却状態に移行した後、持球の回収等を行う回収時間経過処理について、図２１に記載のフローチャートを用いて説明する。なお、本処理は、パチンコ機５０の主制御装置８０にて定期的に実行される処理である。
【０２０７】
Ｓ７５０では、主制御装置８０は、回収フラグがセットされているか否か（返却状態か否か）を判定する。そして、肯定判定が得られた場合には（Ｓ７５０：Ｙｅｓ）、Ｓ７５５に処理を移行し、否定判定が得られた場合には（Ｓ７５０：Ｎｏ）、本処理を終了する。
【０２０８】
Ｓ７５５では、主制御装置８０は、返却状態に移行した後の経過時間をカウントし（該経過時間を示す回収時間カウンタを更新し）、Ｓ７６０に処理を移行する。
Ｓ７６０では、主制御装置８０は、持球カウンタの値が変化したか否か（遊技により持球の数が変化したか否か）を判定する。そして、肯定判定が得られた場合には（Ｓ７６０：Ｙｅｓ）、Ｓ７６５に処理を移行し、否定判定が得られた場合には（Ｓ７６０：Ｎｏ）、Ｓ７７０に処理を移行する。
【０２０９】
Ｓ７６５では、主制御装置８０は、回収時間カウンタをリセットし、本処理を終了する。
一方、Ｓ７７０では、主制御装置８０は、返却状態に移行した後、持球の数が変化しない状態が一定時間継続したか否か（回収時間カウンタの値が閾値に達したか否か）を判定する。そして、肯定判定が得られた場合には（Ｓ７７０：Ｙｅｓ）、Ｓ７７５に処理を移行し、否定判定が得られた場合には（Ｓ７７０：Ｎｏ）、本処理を終了する。
【０２１０】
Ｓ７７５では、主制御装置８０は、持球カウンタをクリアして持球の数を０とし（持球を回収し）、Ｓ７８０に処理を移行する。
Ｓ７８０では、主制御装置８０は、管理用コンピュータ８７に対し、持球を回収した旨と、回収した持球の数とを通知する。また、サブ統合制御装置８３と通信を行い、演出図柄表示装置６に回収画面を表示させると共に、回収フラグをクリアし（Ｓ７８５）、本処理を終了する。
【０２１１】
［効果］
本実施形態のパチンコ機５０によれば、中断操作を行うのみで、持球を残したまま、パチンコ機５０を遊技が不可能な中断状態とすることができる。これにより、他の遊技者により持球が使用されてしまうことを防ぎつつ、パチンコ機５０が設置された遊技台を確保しておくことができるため、遊技者は、安心して遊技台の傍から離れ、休憩を取ることができる。
【０２１２】
また、中断状態中はパチンコ機５０にその旨が表示された状態となるため、パチンコ店の店員が遊技台に札を立てる等の作業を行わなくても、他の遊技者に対し、中断状態となっているパチンコ機５０が設置された遊技台が、休憩中の遊技者により確保されていることを示すことができる。
【０２１３】
また、パチンコ機５０が中断状態に移行した後、パチンコ機５０にて中断状態への移行後の経過時間がカウントされ、中断可能時間と回収開始時間の合算時間（制限時間）が経過すると持球が回収されるため、持球を担保として遊技者に休憩時間を与えることができる。
【０２１４】
このため、遊技者に対し、制限時間内に遊技を再開することを促すことができ、パチンコ機５０が、遊技が行われない状態で長時間にわたり確保され、稼働率が低下してしまうことを防ぐことができる。
【０２１５】
また、従来のように、店員が遊技者の休憩時間を計測し、休憩時間が一定時間を超過した場合に持球を回収する場合に比べ、持球が回収されるまでの時間を正確に計測することができ、各遊技者に公平に休憩時間を与えることができる。さらに、店員が休息時間の計測や持球の回収を行う必要が無くなり、店員の作業負担を軽減させることができる。
【０２１６】
したがって、本実施形態の封入式のパチンコ機５０によれば、稼働率の低下の防止と、パチンコ店の店員の作業負担の軽減と、公平性の担保を実現しつつ、遊技者が安心して遊技台を離席し、休憩をとることが可能となる。
【０２１７】
［他の実施形態］
（１）本実施形態では、遊技カードや清算媒体はＩＣカードとして構成されているが、これに限定されることは無く、例えば、磁気カード等の記憶媒体として構成されていても良い。このような場合であっても、同様の効果を得ることができる。
【０２１８】
（２）また、本実施形態では、中断状態に移行する際には、カードユニット５６に挿入されている遊技カード（或いは、ストックされている清算媒体）に、パチンコ機５０の識別情報が中断情報として記憶される。
【０２１９】
しかしながら、遊技カードや清算媒体に固有の識別情報が付されているという場合であれば、中断状態に移行する際、カードユニット５６にて排出される遊技カードや清算媒体の識別情報を読み出し、パチンコ機５０の主制御装置８０に通知すると共に、主制御装置８０にて該識別情報を保存しても良い。
【０２２０】
そして、中断状態中に遊技カード等が挿入されると、カードユニット５６は該遊技カード等から識別情報を読み出し、主制御装置８０に通知すると共に、主制御装置８０にて、カードユニット５６から受け取った識別情報と、記憶されている識別情報が一致するか否かを判定し、これらが一致する場合には中断状態を解除しても良い。
【０２２１】
このような場合であっても、同様の効果を得ることができる。
（３）また、本実施形態では、パチンコ機５０とカードユニット５６が別体となっているが、これに限らず、パチンコ機５０とカードユニット５６が一体に構成されていても良い。このような場合であっても、同様の効果を得ることができる。
【０２２２】
（４）また、各会員カードにつき、一日のうちに中断状態に移行可能な回数に制限を設けても良い。すなわち、カードユニット５６は、例えば、中断状態への移行時に会員カードを排出させる際、会員カードにその時点の年月日時を記憶させると共に、中断操作１がなされた際には、会員カードからこの年月日時の情報を読み出し、その日のうちに該会員カードを用いた遊技中にパチンコ機５０を中断状態に移行させた回数（中断回数）を判別し、中断回数をパチンコ機５０の主制御装置８０に通知しても良い。
【０２２３】
一方、主制御装置８０は、中断処理のＳ４１５において（すなわち、中断操作１がなされた際）に、カードユニット５６から受け取った中断回数を参照し、中断回数が制限回数に達している場合には、中断説明画面の表示や、中断待機フラグのセットを行うこと無く、中断処理を終了しても良い。こうすることにより、パチンコ店に設置された各パチンコ機５０が頻繁に中断状態に移行され、パチンコ機５０の稼働率が低下してしまうことを防ぐことができる。
【０２２４】
（５）また、本実施形態のパチンコ機５０は、中断状態に移行した後、一定時間が経過すると持球が回収される構成となっているが、主制御装置８０は、遊技者が操作不可能な場所（例えば、パチンコ機５０の裏側）に設けられた操作部の操作に応じて、持球情報をクリアする（持球を０にする）処理を行っても良い。これにより、パチンコ機５０を管理し易くなる。
【０２２５】
［特許請求の範囲との対応］
上記実施形態の説明で用いた用語と、特許請求の範囲の記載に用いた用語との対応を示す。
【０２２６】
遊技カード，清算媒体が記憶媒体に相当する。
また、貸出操作が貸出指示に、中断操作が中断指示に、返却操作が返却指示に、終了操作が終了指示に相当する。
【０２２７】
また、カード挿入時処理のＳ１２５が、中断状態解除手段に相当する。
また、貸出処理のＳ２１５，Ｓ２２５が貸出手段に、Ｓ２４０が返却状態解除手段に相当する。
【０２２８】
また、中断処理のＳ４１５が通知手段に、Ｓ４３０，Ｓ４５０，Ｓ４５５が中断手段に、Ｓ４３０が表示手段に相当する。
また、中断取消処理のＳ５６０が中断状態回収手段に相当する。
【０２２９】
また、中断時間経過処理のＳ６２０，Ｓ６３０，Ｓ６４０が終了手段に相当する。
また、カード返却処理のＳ７１０，Ｓ７２５が返却手段に、Ｓ７５５がカウント手段に、Ｓ７７５が返却状態回収手段に相当する。
【符号の説明】
【０２３０】
１…遊技盤、２ａ…外レール、２ｂ…内レール、３…遊技領域、４…遊技釘、５…センターケース、６…演出図柄表示装置、７…普通図柄表示装置、８…普図保留数表示装置、９…特図表示装置、１１…第１始動口、１１ａ…第１始動口ＳＷ、１２…第２始動口、１２ａ…第２始動口ＳＷ、１２ｂ…普電役物ソレノイド、１４…大入賞口、１４ａ…カウントＳＷ、１４ｂ…大入賞口ソレノイド、１７…普通図柄作動ゲート、１７ａ…普通図柄作動ＳＷ、１８…特図保留数表示装置、２０…発射検出ＳＷ、２１…アウト球検出ＳＷ、２２…ファール球検出ＳＷ、２４…カードユニット端子板、２８…タッチＳＷ、２９…発射停止ＳＷ、３０…発射モータ、３１ａ…左入賞口ＳＷ、３５…ガラス枠閉鎖ＳＷ、３６…内枠閉鎖ＳＷ、３９…シリンダ錠、４０…所有情報制御装置、４１…貸出ボタン、４２…中断ボタン、４３…返却ボタン、４４…終了ボタン、４５…所有情報表示装置、５０…パチンコ機、５１…外枠、５２…前枠、５３…ヒンジ、５６…カードユニット、５６ａ…カード挿入・排出口、５６ｂ…引落額切替スイッチ、５６ｃ…引落額表示ランプ、５６ｄ…利用可ランプ、５６ｅ…カード挿入ランプ、６１…板ガラス、６４…発射ハンドル、６５…枠側装飾ランプ、６６…スピーカ、６７…演出ボタン、６８…ジョグダイヤル、７０…内枠、７１…球タンク、７２…タンクレール、７８…外部接続端子板、８０…主制御装置、８１…払出制御装置、８２…演出図柄制御装置、８３…サブ統合制御装置、８４…発射制御装置、８５…電源基板、９０…図柄表示装置中継端子板。
【図１】
0006019299.tif 000002
【図２】
0006019299.tif 000003
【図３】
0006019299.tif 000004
【図４】
0006019299.tif 000005
【図５】
0006019299.tif 000006
【図６】
0006019299.tif 000007
【図７】
0006019299.tif 000008
【図８】
0006019299.tif 000009
【図９】
0006019299.tif 000010
【図１０】
0006019299.tif 000011
【図１１】
0006019299.tif 000012
【図１２】
0006019299.tif 000013
【図１３】
0006019299.tif 000014
【図１４】
0006019299.tif 000015
【図１５】
0006019299.tif 000016
【図１６】
0006019299.tif 000017
【図１７】
0006019299.tif 000018
【図１８】
0006019299.tif 000019
【図１９】
0006019299.tif 000020
【図２０】
0006019299.tif 000021
【図２１】
0006019299.tif 000022